(57)【特許請求の範囲】
【請求項１】
配線回路基板と電子部品の端子との接続構造であって、
前記配線回路基板は、
絶縁層と、
前記絶縁層上に形成された線状の導体パターンとを備え、
前記導体パターンは端子部および信号伝送部を有し、
前記端子部は、第１の幅を有する第１の領域と、前記第１の幅よりも小さな第２の幅を有する第２の領域とを有し、少なくとも前記第２の領域が０．０７μｍ以上０．２５μｍ以下の厚みを有する錫を含むめっき層で被覆され、
前記信号伝送部は、前記第２の幅より大きな第３の幅を有し、
前記端子部の前記第１の領域と前記信号伝送部との間に前記第２の領域が設けられ、
前記電子部品の端子と前記配線回路基板の前記第２の領域とが熱融着され、
前記第２の領域の一方の側辺が前記電子部品の端子の一方の側辺より０．５μｍ以上内側に位置し、前記第２の領域の他方の側辺が前記電子部品の端子の他方の側辺より０．５μｍ以上内側に位置し、
前記端子部の幅方向と直交する方向において、前記第１の領域と前記電子部品の端子との間に２０μｍ以上の間隔が形成され、かつ前記信号伝送部と前記電子部品の端子との間に２０μｍ以上の間隔が形成されることを特徴とする配線回路基板と電子部品との接続構造。
【請求項２】
前記第２の領域の両方の側辺は、前記第１の領域の両方の側辺よりもそれぞれ内側に位置することを特徴とする請求項１記載の配線回路基板と電子部品との接続構造。
【請求項３】
前記配線回路基板は、前記端子部を除いて前記導体パターンを覆うように前記ベース絶縁層上に形成されたカバー絶縁層をさらに備えることを特徴とする請求項１または２記載の配線回路基板と電子部品との接続構造。
【請求項４】
前記電子部品の前記端子は１０μｍ以下の間隔で複数設けられ、
前記配線回路基板の前記端子部は前記電子部品の前記複数の端子に対応するように複数設けられることを特徴とする請求項１〜３のいずれかに記載の配線回路基板と電子部品との接続構造。
【請求項５】
配線回路基板の絶縁層上に形成された線状の導体パターンの端子部と電子部品の端子とを接続する方法であって、
前記配線回路基板の前記端子部は、第１の幅を有する第１の領域と、前記第１の幅よりも小さな第２の幅を有する第２の領域とを有し、少なくとも前記第２の領域が０．０７μｍ以上０．２５μｍ以下の厚みを有する錫を含むめっき層で被覆され、
前記第２の領域の一方の側辺が前記電子部品の端子の一方の側辺より０．５μｍ以上内側に位置し、前記第２の領域の他方の側辺が前記電子部品の端子の他方の側辺より０．５μｍ以上内側に位置し、前記端子部の幅方向と直交する方向において前記第１の領域と前記電子部品の端子との間に２０μｍ以上の間隔が形成されるように、前記端子部の前記第２の領域と前記電子部品の端子とを熱融着により接続することを特徴とする配線回路基板と電子部品との接続方法。
【発明の詳細な説明】
【技術分野】
【０００１】
本発明は、配線回路基板と電子部品との接続構造に関する。
【背景技術】
【０００２】
配線回路基板には、半導体チップ等の種々の電子部品が実装される。この場合、配線回路基板の端子部と電子部品の端子とが、例えば熱融着によって接続される（例えば特許文献１）。具体的には、例えば配線回路基板の端子部の表面を覆うように錫（Ｓｎ）めっき層が形成され、電子部品を実装する際に端子部の錫めっき層が熱融解される。これにより、配線回路基板の端子部と電子部品の端子とが確実に接続される。
【特許文献１】特開２００６−１３４２１号公報
【発明の開示】
【発明が解決しようとする課題】
【０００３】
しかしながら、配線回路基板のファインピッチ化に伴って、隣接する端子部間の距離が短くなる。それにより、熱融着を行う際に、融解した錫めっき層が隣接する端子部間において互いに接触し、短絡が発生することがある。
【０００４】
本発明の目的は、熱融着時における短絡の発生が防止された配線回路基板と電子部品との接続構造を提供することである。
【課題を解決するための手段】
【０００５】
（１）第１の発明に係る配線回路基板と電子部品との接続構造は、配線回路基板と電子部品の端子との接続構造であって、配線回路基板は、絶縁層と、絶縁層上に形成された線状の導体パターンとを備え、導体パターンは端子部および信号伝送部を有し、端子部は、第１の幅を有する第１の領域と、第１の幅よりも小さな第２の幅を有する第２の領域とを有し、少なくとも第２の領域が０．０７μｍ以上０．２５μｍ以下の厚みを有する錫を含むめっき層で被覆され、信号伝送部は、第２の幅より大きな第３の幅を有し、端子部の第１の領域と信号伝送部との間に第２の領域が設けられ、電子部品の端子と配線回路基板の第２の領域とが熱融着され、第２の領域の一方の側辺が電子部品の端子の一方の側辺より０．５μｍ以上内側に位置し、第２の領域の他方の側辺が電子部品の端子の他方の側辺より０．５μｍ以上内側に位置し、端子部の幅方向と直交する方向において、第１の領域と電子部品の端子との間に２０μｍ以上の間隔が形成され、かつ信号伝送部と電子部品の端子との間に２０μｍ以上の間隔が形成されるものである。
【０００６】
本発明に係る配線回路基板と電子部品との接続構造においては、配線回路基板の第２の領域と電子部品の端子とが接触する状態で、配線回路基板の第２の領域を被覆する錫を含むめっき層が熱融解される。そのめっき層が硬化することによって配線回路基板の第２の領域と電子部品の端子とが熱融着される。
【０００７】
この場合、配線回路基板の第２の領域の一方の側辺が電子部品の端子の一方の側辺より０．５μｍ以上内側に位置し、第２の領域の他方の側辺が電子部品の端子の他方の側辺より０．５μｍ以上内側に位置することにより、熱融解しためっき層が電子部品の端子の外側にはみ出ることが防止される。
【０００８】
また、端子部の幅方向と直交する方向において第１の領域と電子部品の端子と間に２０μｍ以上の間隔が形成されることにより、第１の領域から電子部品の端子に熱融解しためっき層が流入することが防止される。それにより、熱融解しためっき層が電子部品の端子の外側にはみ出ることがより十分に防止される。
【０００９】
さらに、めっき層の厚みが０．０７μｍ以上であることによって端子部と電子部品の端子との接続信頼性が確保されるとともに、めっき層の厚みが０．２５μｍ以下であることにより、熱融解するめっき層の量が過剰になることが防止される。
【００１０】
これらにより、熱融解した錫めっき層が電子部品の端子の外側にはみ出ることが確実に防止される。したがって、電子部品に複数の端子が互いに近接して設けられるとともに配線回路基板に複数の端子部が互いに近接して設けられる場合でも、熱融解しためっき層が隣接する端子部間において接触することが防止される。その結果、隣接する端子部間における短絡の発生が防止される。
【００１１】
また、端子部の第１の領域の幅が第２の領域の幅より大きいので、端子部とベース絶縁層との密着性が確保される。したがって、端子部がベース絶縁層から剥離することが防止される。
【００１２】
（２）第２の領域の両方の側辺は、第１の領域の両方の側辺よりもそれぞれ内側に位置してもよい。
【００１３】
この場合、第２の領域の両側において、熱融解しためっき層が第１の領域よりも外側にはみ出ることが十分に防止される。それにより、隣接する端子部間における短絡の発生がより確実に防止される。
【００１４】
（３）配線回路基板は、端子部を除いて導体パターンを覆うようにベース絶縁層上に形成されたカバー絶縁層をさらに備えてもよい。
【００１５】
この場合、導体パターンの損傷が防止されるとともに、導体パターンがベース絶縁層から剥離することが防止される。
【００１６】
（４）電子部品の端子は１０μｍ以下の間隔で複数設けられ、配線回路基板の端子部は電子部品の複数の端子に対応するように複数設けられてもよい。
【００１７】
この場合、端子部間における短絡の発生を防止しつつ、配線回路基板のファインピッチ化を実現することができる。
（５）第２の発明に係る配線回路基板と電子部品との接続方法は、配線回路基板の絶縁層上に形成された線状の導体パターンの端子部と電子部品の端子とを接続する方法であって、配線回路基板の端子部は、第１の幅を有する第１の領域と、第１の幅よりも小さな第２の幅を有する第２の領域とを有し、少なくとも第２の領域が０．０７μｍ以上０．２５μｍ以下の厚みを有する錫を含むめっき層で被覆され、第２の領域の一方の側辺が電子部品の端子の一方の側辺より０．５μｍ以上内側に位置し、第２の領域の他方の側辺が電子部品の端子の他方の側辺より０．５μｍ以上内側に位置し、端子部の幅方向と直交する方向において第１の領域と電子部品の端子との間に２０μｍ以上の間隔が形成されるように、端子部の第２の領域と電子部品の端子とを熱融着により接続するものである。
【発明の効果】
【００１８】
本発明によれば、熱融解した錫めっき層が電子部品の端子の外側にはみ出ることが確実に防止される。それにより、熱融解しためっき層が隣接する端子部間において接触することが防止される。その結果、隣接する端子部間における短絡の発生が防止される。また、端子部とベース絶縁層との密着性が確保され、端子部がベース絶縁層から剥離することが防止される。
【発明を実施するための最良の形態】
【００１９】
以下、本発明の一実施の形態に係る配線回路基板と電子部品との接続構造について図面を参照しながら説明する。
【００２０】
（１）構成
図１（ａ）は、本実施の形態に係る配線回路基板の平面図であり、図１（ｂ）は図１（ａ）の配線回路基板のＰ−Ｐ線断面図である。
【００２１】
図１（ａ）および図１（ｂ）に示すように、配線回路基板５０は、例えばポリイミドからなるベース絶縁層１を有する。ベース絶縁層１上には矩型の領域Ｓが設けられている。領域Ｓの互いに対向する２辺の内側から外側に延びるように複数の配線パターン２が形成されている。
【００２２】
各配線パターン２は、先端部２１、接続部２２および信号伝送部２３を含む（図１（ａ））。先端部２１の幅と信号伝送部２３の幅とは互いに等しく、接続部２２の幅は先端部２１および信号伝送部２３の幅より小さい。本実施の形態では、先端部２１および接続部２２が端子部を構成する。図１の例では、先端部２１、接続部２２、および信号伝送部２３の一部がベース絶縁層１の領域Ｓ上に位置する。
【００２３】
また、各配線パターン２は、導体層２ａおよび錫めっき層２ｂを含む（図１（ｂ））。導体層２ａは例えば銅からなり、ベース絶縁層１上に形成されている。導体層２ａの表面を覆うように錫めっき層２ｂが形成されている。
【００２４】
複数の配線パターン２を覆うように、ベース絶縁層１上に例えばポリイミドからなるカバー絶縁層４が形成されている。カバー絶縁層４は、領域Ｓ上に開口４ａを有する。配線パターン２の先端部２１、接続部２２、および信号伝送部２３の一部は、カバー絶縁層４の開口４ａ内で露出している。
【００２５】
配線回路基板５０の製造方法としては、サブトラクティブ法およびセミアディティブ法のどちらを用いてもよい。また、サブトラクティブ法およびセミアディティブ法を組み合わせて用いてもよい。
【００２６】
（２）配線回路基板と電子部品との接続
次に、図１に示した配線回路基板５０と電子部品との接続構造について説明する。図２は、配線回路基板５０と電子部品との接続構造を示す斜視図である。図３（ａ）は配線回路基板５０と電子部品との接続構造を示す平面図であり、図３（ｂ）は図３（ａ）のＱ−Ｑ線断面図である。
【００２７】
なお、図２および図３では、カバー絶縁層４が下方に向けられた状態で配線回路基板５０が示される。また、配線回路基板５０と電子部品との接続構造を明確に示すために、ベース絶縁層１が透過状態で示される。
【００２８】
図２および図３に示す電子部品６０は、例えば半導体チップである。図２に示すように、電子部品６０の一面には、互いに平行な２辺に沿うように複数の凸状のバンプ６１が設けられている。配線回路基板５０の配線パターン２の数および配置は、電子部品６０のバンプ６１の数および配置に対応して設定されている。
【００２９】
図３（ａ）および図３（ｂ）に示すように、電子部品６０の実装時には、配線回路基板５０の各配線パターン２の接続部２２と電子部品６０の各バンプ６１とが熱融着によって接続される。すなわち、各配線パターン２の接続部２２と各バンプ６１とが接触する状態で、接続部２２の錫めっき層２ｂ（図３（ｂ））が熱融解され、その後、錫めっき層２ｂが硬化することにより接続部２２とバンプ６１とが熱融着される。
【００３０】
本実施の形態では、各配線パターン２の先端部２１、接続部２２および信号伝送部２３が所定の形状に設定されることにより、配線パターン２とベース絶縁層１との密着性を確保しつつ、熱融着時における短絡の発生を防止することができる。
【００３１】
（３）配線回路基板の端子部および電子部品のバンプの詳細
ここで、配線回路基板５０の配線パターン２および電子部品６０のバンプ６１の詳細について説明する。図４は、配線回路基板５０の配線パターン２および電子部品６０のバンプ６１の詳細を説明するための平面図である。
【００３２】
図４に示すように、配線パターン２の接続部２２における導体層２ａの幅（以下、接続導体幅と呼ぶ）Ｗ１は、配線パターン２の幅方向における電子部品６０のバンプ６１の長さ（以下、バンプ幅と呼ぶ）Ｗ２よりも小さく設定される。また、接続部２２における導体層２ａの長さ（以下、接続導体長さと呼ぶ）Ｌ１は、配線パターン２の長さ方向におけるバンプ６１の長さ（以下、バンプ長さと呼ぶ）Ｌ２よりも大きく設定される。
【００３３】
長さ方向に沿う配線パターン２の接続部２２の導体層２ａの一辺とバンプ６１の一辺との間の距離Ａ１、および接続部２２の導体層２ａの他辺とバンプ６１の他辺との間の距離Ａ２は、それぞれ０．５μｍ以上に設定される。
【００３４】
距離Ａ１，Ａ２が０．５μｍよりも短い場合、次のような問題が生じる。図５は、距離Ａ１，Ａ２が短い場合の問題点を示す模式的側面図である。距離Ａ１，Ａ２が短い場合、図５に示すように、接続部２２とバンプ６１との熱融着時に、熱融解した錫めっき層２ｂが各バンプ６１の外側にはみ出しやすい。そのため、熱融解した錫めっき層２ｂが隣接する接続部２２間において接触し、短絡が発生することがある。
【００３５】
それに対して、距離Ａ１，Ａ２が０．５μｍ以上であれば、図３（ｂ）に示したように、熱融解した錫めっき層２ｂがバンプ６１の外側にはみ出すことが防止される。それにより、隣接する接続部２２間の短絡が防止される。
【００３６】
また、距離Ａ１，Ａ２は、５μｍ以下であることが好ましい。この場合、距離Ａ１，Ａ２が５μｍ以下であることにより、接続導体幅Ｗ１を適正な大きさに維持することができる。すなわち、接続導体幅Ｗ１が小さくなりすぎない。それにより、接続部２２とバンプ６１との接続信頼性が確保される。
【００３７】
さらに、接続部２２とバンプ６１との接続信頼性をより確実に確保しつつ隣接する接続部２２間の短絡をより確実に防止するためには、距離Ａ１，Ａ２が２μｍ以上５μｍ以下であることがより好ましい。
【００３８】
接続導体幅Ｗ１は、１０μｍ以上１８μｍ以下であることが好ましい。また、バンプ幅Ｗ２は、１２μｍ以上２０μｍ以下であることが好ましい。
【００３９】
幅方向に沿う配線パターン２の先端部２１の導体層２ａの一辺とバンプ６１の一辺との間の距離Ｂ１、および信号伝送部２３の導体層２ａの一辺とバンプ６１の他辺との間の距離Ｂ２は、それぞれ２０μｍ以上に設定される。
【００４０】
この場合、接続部２２近傍の配線パターン２の先端部２１または信号伝送部２３の部分の錫めっき層２ｂが熱融解してバンプ６１上に流入することが防止される。それにより、熱融解した錫めっき層２ｂがバンプ６１の外側にはみ出すことが防止され、接続部２２間における短絡の発生が防止される。
【００４１】
また、距離Ｂ１，Ｂ２は、３０μｍ以下であることが好ましい。この場合、導体層２ａとベース絶縁層１との密着性が確実に確保される。
【００４２】
さらに、導体層２ａとベース絶縁層１との密着性をより確実に確保しつつ接続部２２間における短絡の発生をより確実に防止するためには、距離Ｂ１，Ｂ２が２０μｍ以上２５μｍ以下であることがより好ましい。
【００４３】
接続導体長さＬ１は、１２０μｍ以上１４０μｍ以下であることが好ましい。また、バンプ長さＬ２は、６０μｍ以上８０μｍ以下であることが好ましい。
【００４４】
配線パターン２の先端部２１における導体層２ａの幅（以下、先端導体幅と呼ぶ）Ｗ３、および配線パターン２の信号伝送部２３における導体層２ａの幅（以下、伝送導体幅と呼ぶ）Ｗ４は、それぞれ１２μｍ以上２０μｍ以下であることが好ましい。また、先端部２１における導体層２ａの長さ（以下、先端導体長さと呼ぶ）Ｌ３は、１６μｍ以上２０μｍ以下であることが好ましい。この場合、導体層２ａとベース絶縁層１との密着性が十分に確保される。
【００４５】
錫めっき層２ｂの厚みは０．０７μｍ以上０．２５μｍ以下に設定される。この場合、錫めっき層２ｂの厚みが０．０７μｍ以上であることにより、接続部２２と電子部品６０のバンプ６１との接続信頼性が確保される。また、錫めっき層２ｂの厚みが０．２５μｍ以下であることにより、熱融解する錫めっき層２ｂの量が過剰になることが防止される。それにより、熱融解した錫めっき層２ｂがバンプ６１の外側にはみ出すことが防止され、接続部２２間における短絡の発生が防止される。
【００４６】
さらに、接続部２２とバンプ６１との接続信頼性をより確実に確保しつつ接続部２２間における短絡の発生をより確実に防止するためには、錫めっき層２ｂの厚みが０．１０μｍ以上０．２０μｍ以下であることがより好ましい。
【００４７】
電子部品６０の隣接するバンプ６１間の距離は、８μｍ以上１０μｍ以下であることが好ましい。この場合、接続部２２間における短絡の発生を防止しつつ、配線回路基板５０のファインピッチ化が実現される。
【００４８】
（４）実施例および比較例
ポリイミドおよび銅箔からなる２層基材を用意し、銅箔を所定のパターンでエッチングすることによってベース絶縁層１上に導体層２ａを形成した。次いで、導体層２ａの表面を錫めっき層２ｂによって被覆することにより配線パターン２を形成した。次いで、複数の配線パターン２を覆うようにベース絶縁層１上にカバー絶縁層４を形成し、配線回路基板５０を得た。また、電子部品６０として、複数の金（Ａｕ）バンプを有する半導体チップを用意した。
【００４９】
配線回路基板５０の先端導体幅Ｗ３、伝送導体幅Ｗ４、接続導体幅Ｗ１、および接続導体長さＬ１を調整することによって、上記の距離Ａ１，Ａ２および距離Ｂ１，Ｂ２を種々の値に設定した。また、錫めっき層２ｂの厚みを種々の値に設定した。
【００５０】
なお、先端導体長さＬ３を１８μｍに設定した。また、電子部品６０のバンプ６１のバンプ幅Ｗ２は１８μｍであり、バンプ長さＬ２は８０μｍであった。また、隣接するバンプ６１のバンプ幅方向における間隔は９μｍであった。
【００５１】
（４−１）実施例１〜６
【００５２】
【表１】
0005001731.tif 000002
【００５３】
表１に示すように、実施例１〜６においては、距離Ａ１，Ａ２を０．５μｍ以上１μｍ以下の範囲で互いに等しく設定し、距離Ｂ１，Ｂ２を２０μｍ以上２５μｍ以下の範囲で互いに等しく設定した。また、錫めっき層２ｂの厚みを０．０７μｍ以上０．２５μｍ以下の範囲で設定した。
【００５４】
（４−２）比較例１〜４
【００５５】
【表２】
0005001731.tif 000003
【００５６】
表２に示すように、比較例１〜４においては、距離Ａ１，Ａ２を０．１μｍ以上１μｍ以下の範囲で互いに等しく設定し、距離Ｂ１，Ｂ２を１５μｍ以上２５μｍ以下の範囲で互いに等しく設定した。また、錫めっき層２ｂの厚みを０．０５μｍ以上０．２８μｍ以下の範囲で設定した。
【００５７】
（４−３）評価
実施例１〜６および比較例１〜４に示す条件で配線回路基板５０の接続部２２と電子部品６０のバンプ６１とを熱融着により接続し、短絡の発生率を調べた。その結果を表３に示す。ここで、短絡とは、図５に示したように、熱融解した錫めっき層２ｂが隣接する接続部２２間で接触する場合をいう。
【００５８】
【表３】
0005001731.tif 000004
【００５９】
表１〜３に示すように、距離Ａ１，Ａ２を０．５μｍ以上１μｍ以下の範囲で設定した実施例１〜３では短絡が発生しなかったが、距離Ａ１，Ａ２を０．１μｍに設定した比較例１では短絡が発生した。このことから、距離Ａ１，Ａ２を０．５μｍ以上に設定することにより、短絡の発生を防止できることがわかった。
【００６０】
また、距離Ｂ１，Ｂ２を２０μｍとした実施例４では短絡が発生しなかったが、距離Ｂ１，Ｂ２を１５μｍとした比較例２では短絡が発生した。このことから、距離Ｂ１，Ｂ２を２０μｍ以上に設定することにより、短絡の発生を防止できることがわかった。
【００６１】
また、錫めっき層２ｂの厚みを０．０７μｍに設定した実施例５および０．２５μｍに設定した実施例６では短絡が発生しなかったが、錫めっき層２ｂの厚みを０．２８μｍに設定した比較例４では短絡が発生した。また、錫めっき層２ｂの厚みを０．０５μｍに設定した比較例３では、短絡は発生しなかったが、接続部２２とバンプ６１との電気的接続が不良であった。このことから、錫めっき層２ｂの厚みを０．０７μｍ以上０．２５μｍ以下の範囲で設定することにより、短絡の発生を防止できることがわかった。
【００６２】
これらの結果、距離Ａ１，Ａ２を０．５μｍ以上に設定し、距離Ｂ１，Ｂ２を２０μｍ以上に設定し、錫めっき層２ｂの厚みを０．０７μｍ以上０．２５μｍ以下の範囲で設定することにより、短絡の発生を十分に防止できることがわかった。
【００６３】
（５）他の実施の形態
上記実施の形態では、配線パターン２の信号伝送部２３の幅が接続部２２の幅より大きく設定されるが、これに限定されない。図６は、配線パターン２の変形例を示す平面図である。図６の例では、配線パターン２の信号伝送部２３の幅が接続部２２の幅と等しく設定される。なお、信号伝送部２３とベース絶縁層１との密着性は、信号伝送部２３がカバー絶縁層４で覆われることにより確保される。
【００６４】
上記実施の形態では、配線パターン２の先端部２１が矩形であるが、先端部２１とベース絶縁層１との密着性が十分に確保されるのであれば、先端部２１を任意の形状に形成することができる。例えば、図７に示すように、配線パターン２の先端部２１を略円形状に形成してもよい。また、配線パターン２の先端部２１を三角形、Ｕ字状等の他の形状に形成してもよい。
【００６５】
ベース絶縁層１およびカバー絶縁層４の材料は、ポリイミドに限らず、ポリイミドフィルム、ポリエチレンテレフタレートフィルム、ポリエーテルニトリルフィルム、ポリエーテルスルフォンフィルム等の他の絶縁材料を用いてもよい。
【００６６】
配線パターン２の材料は、銅に限らず、銅合金、金、アルミニウム等の他の金属材料を用いてもよい。
【００６７】
本発明は、フレキシブル配線回路基板、リジッド配線回路基板等の種々の配線回路基板に適用することができる。また、電子部品６０としては、半導体チップに限らず、コンデンサ等の他の電子部品を用いてもよい。
【００６８】
（６）請求項の各構成要素と実施の形態の各要素との対応
以下、請求項の各構成要素と実施の形態の各要素との対応の例について説明するが、本発明は下記の例に限定されない。
【００６９】
上記実施の形態では、導体層２ａが導体パターンの例であり、先端導体幅Ｗ３が第１の幅の例であり、接続導体幅Ｗ１が第２の幅の例であり、先端部２１が第１の領域の例であり、接続部２２が第２の領域の例である。
【００７０】
請求項の各構成要素として、請求項に記載されている構成または機能を有する他の種々の要素を用いることもできる。
【産業上の利用可能性】
【００７１】
本発明は、種々の配線回路基板と電子部品との接続する場合に有効に利用することができる。
【図面の簡単な説明】
【００７２】
【図１】本発明の一実施の形態に係る配線回路基板を示す図である。
【図２】配線回路基板と電子部品との接続構造を示す図である。
【図３】配線回路基板と電子部品との接続構造を示す図である。
【図４】配線回路基板の配線パターンおよび電子部品のバンプの詳細を説明するための平面図である。
【図５】従来の配線回路基板の問題点を示す模式的側面図である。
【図６】配線パターンの変形例を示す平面図である。
【図７】配線パターンの変形例を示す平面図である。
【符号の説明】
【００７３】
１  ベース絶縁層
２  配線パターン
２ａ  導体層
２ｂ  錫めっき層
４  カバー絶縁層
２１  先端部
２２  接続部
２３  信号伝送部
５０  配線回路基板
６０  電子部品
６１バンプ
【図１】
0005001731.tif 000005
【図２】
0005001731.tif 000006
【図３】
0005001731.tif 000007
【図４】
0005001731.tif 000008
【図５】
0005001731.tif 000009
【図６】
0005001731.tif 000010
【図７】
0005001731.tif 000011